(57)【要約】 【課題】   体内より脇部に発生する熱気および汗を、シャツの構造により解決して、快適性と、外見的な公用性を加味した設計構造のビジネス用ワイシャツ。【解決手段】  脇下を中心にしてシャツの体側部から二の腕に当たる部分のみ通気性の良い素材を部分使用することによって、外見的に従来品同様の公用性を確保し、実質的によりクールビズ性を発揮させたワイシャツである。又、ワイシャツの脇下を中心に、異素材通気性素材部が両体側部と繋がって脇下端部から半袖、長袖共に袖部が直線状又は三角形に縫製されたことを特徴とするワイシャツである。    【選択図】  図２
0003178988.tif 000002
【実用新案登録請求の範囲】
【請求項１】
前身頃、後見頃、袖部の使用生地と異なる通気性の良い素材からなる異素材通気性素材部を、左右両体側面部分に使用されたことを特徴とするワイシャツ。
【請求項２】
ワイシャツの通気性の良い素材の胴部の使用幅は、前身頃、後見頃使用布の合計幅の５％以上３０％未満であることを特徴とする請求項１に記載のワイシャツ。
【請求項３】
ワイシャツの脇下を中心に、異素材通気性素材部が両体側部と繋がって脇下端部から半袖、長袖共に袖部が直線状又は三角形に縫製されたことを特徴とする請求項１又は２に記載のワイシャツ。    
【請求項４】
前身頃と後見頃の下部を、ベルト位置より下方、股下より上部の位置で、横方向に直線的にカットしたことを特徴とする請求項１から３のいずれかに記載のワイシャツ。
【考案の詳細な説明】
【技術分野】
【０００１】
夏場のクールビズ対応ビジネスマン向けシャツに関するもの。
【背景技術】
【０００２】
震災以降、日本の電力事情のひっ迫する中、夏場の冷房エネルギーの問題も有り、ビジネスの現場においてはクールビズへの対応が大きく求められている。しかしビジネスマンは一応に、従来のワイシャツと呼ばれる定型的なデザインのシャツに、ネクタイ、スーツ着用というスタイルの範疇を出ていないものをほぼ夏冬着用している。それはビジネスの場面において要求される公用性に立脚した外見が求められることに起因していると考えられる。この事はビジネスを含め公的な場面では今後も容易に変化しない習慣であろうが、温暖化が叫ばれ暑さが増して行く昨今の夏の気象条件下で、何らかの改善策が求められていることも事実と言える。
【０００３】
ワイシャツと言われるシャツはその生い立ちで、前身頃と後見頃を股下でボタン留めを行い着用されていた。近年もその習慣上、前身頃も後見頃も図１のように体側面部は腰辺りまでの長さで、前後は股下部分近くまで半円形に余裕を持たせて作られているものが一般的である。近年若者文化的にシャツをズボンから出して着用する着方が流行しているがビジネスの場面においては、暑さ対策の上でもこの着用スタイルは公用性的な外見上の理由から不向きであり、多用されていない。
【０００４】
一部、開襟シャツと呼ばれ、首の前部のボタンが無く、広がっていて首部の風通しを考慮したもので、裾部もビジネス用のワイシャツのように長い半円形の裾部でなく、直立したときの手首近辺の長さで裾丈が直線的に横にカットされて、ズボンの上に出して着用するスタイルのものも以前よりあるが、必要時にネクタイの着用を元々考慮していない点や、やはりオープンな外見が日本的な概念の公用性にマッチしないことより一部の東南アジア地域等の亜熱帯地域での着用以外、国内は沖縄以外では一般的に私的な場面での着用にとどまっている。
【０００５】
特許文献１は、前身頃と後見頃の間５から１０ｃｍ幅の通気性部分設けるとある。特許文献２に関しては袖部下側と身頃の間に通気性機構を設けるとあるが、実際人間は脇の肋骨横の辺りから脇下を通り、腕の二の腕あたりの間が一番汗を掻く為その間に渡る長さの通気部重要であり、これらの主張の必要となる部分と言える、体側部だけ、腕の内側だけの通気材ではその効果が小さいと言える。
【先行技術文献】
【特許文献】
【０００６】
【特許文献１】特公開２００３−１３３０１公報
【特許文献２】特公開２００３-２３９１０１公報
【考案の概要】
【考案が解決しようとする課題】
【０００７】
ビジネスマンの職場におけるクールビズ対応のスタイルは、色々なものが提案されて居るが、ビジネスの局面においては対人関係業務に携わる人にとっては、しばしば会社、組織を代表して面談するケースも突然訪れるケースも少なくなく、だらしない印象を周囲に与えることは出来ない。他方で冷房設定温度も高くなり、湿度、気温共に高い方向になろうとしている今日の日本の夏においてもシャツ姿で活動だけでなく、上からのスーツ着用を必要とされることも多く、清潔で好印象を与え且つ、涼しいワイシャツの要求が高いと言える。婦人物に関しては使用される生地、デザインに幅があり、かなり暑さ、湿度に対しての実用性に富んだものが市販されてはいるが、一方ビジネスマン向けは、多少生地、色使い、袖の長さ等で変化があるのみで、基本的に機能性やデザイン面に選択幅が無いと言って良い。外見的に日本的な公用性にマッチし、実質面で涼しさを感じられる機能性の有る仕様のシャツの提供が本考案の課題となる。
【０００８】
人間が汗を一番掻きやすい場所である脇の下を中心に体側部と二の腕当たるに至る上下両方向に連なった左右の通気性部分が必要となり、それが配置された構造のシャツが求められ、また裾部からの風の流入を図ることも涼しさには大きな要素となる。
【課題を解決するための手段】
【０００９】
前身頃、後見頃の使用生地と異なる通気性の良い素材が左右両体側部分に使用されたワイシャツで、そのワイシャツの通気性の良い素材の使用幅は、前身頃、後見頃使用布の合計幅の５％以上３０％未満であり前身頃、後見頃間の左右両体側面下部裾部から脇下部、袖部中央部以上にかけて縦に施された構造のシャツとする。
【００１０】
また、汗が一番掻きやすく対策を最も要する両脇部分のワイシャツ異素材通気性部は、両体側部と脇下端部繋が連続した形状で繋がり、半袖、長袖共に縫製袖部内側部に配されたシャツとなっている事。  
【００１１】
前身頃、後見頃共にベルト位置より下方、股下より上部の間で下方が横に直線的にカットした裾丈長さからなる構造のシャツで、後身頃が若干長いものも含め、前身頃、後見頃下部が円形になった従来型デザインの長い裾丈のものよりも外出し、中入れ可能で短い裾は腰回りの涼しさにおいても最適と言える。
【考案の効果】
【００１２】
本考案品はビジネスマン用に求められる外面的公用性は、これまで通常使用される白や縞柄が主流となって綿、又はその他の繊維で前身頃、後身頃部分を作ることのより達成され、さらに上から上着等を着用すれば前面からの外見は従来通りの見栄えで、オフィシャルな場所での着用も問題なく対応できる。従来のワイシャツの構造では逃げる場所がなかった上半身の一番汗が掻きやすく、発生した熱気、湿気は、体側面に配置された５から３０％のメッシュ素材等を活用した通気性部部分より、汗のかきやすい脇下を含め、体の動きに合わせて側面部側より通気するため、より涼しく、かつ乾きやすい、構造体となる。
【００１３】
裾部の直線的カット構造の場合には、通勤時等、通常時にはズボンの外に出して着用してもだらしなく感じられず、従来の前身頃、後見頃共に長い場合も含め、脇部袖部から、裾のカット部はさらに開放的で風通しも良く着る事が出来て、ノーネクタイの場合は上部位置ボタンをはずして着用して、必要な時は従来のビジネス場面と同様にネクタイ着用し、裾をズボンに入れ込んで着用することも可能となる構造体となる事により、両体側部分の異素材部分と合わせ、従来品より夏場のクールビズ対応に、より効果的で公用性も兼ね備えたデザインの機能性シャツとなっている。
【図面の簡単な説明】
【００１４】
【図１】従来のシャツを表した図
【図２】本考案の脇下に通気性異素材使用のシャツ全体を表した図
【図３】本考案シャツの後見頃体側部に通気性素材利用を表した図
【図４】本考案シャツの前身頃を表した図
【図５】本考案シャツの袖部が長袖の場合を表した図
【図６】本考案シャツの袖部通気性素材が三角形に使用した事を表した図
【図７】本考案半袖の場合のシャツの袖部を表した図
【図８】本考案の半袖の場合の通気性素材を三角形にした場合の図
【考案を実施するための形態】
【００１５】
図１が従来品を表し、本考案全体図が図２であるが、ビジネスマン用ワイシャツにおいて前身頃、後見頃を同一素材で構成し左右両脇の部分に、着用の際に正面、後から見えにくい配慮上前身頃と後見頃の合計使用布幅の５％以上３０％未満の幅で、左右両脇部分に裾から袖部分まで、前身頃、後見頃と使用布素材と異なるメッシュ素材等の通気性の良い異素材を使用して縫製作成する。
図３は本考案の後身頃、図４は前身頃を示す型紙である。図３の塗りつぶしで示された部分である後身頃の異素材部１が異素材部分となる。図４の前身頃の異素材部２の様に通気性部は三角形でもその効果は有る。裾部は、裾部の直線カット部３を備える。図５は袖部分の型紙図であるが、同様に塗りつぶしの部分である長袖長尺状異素材部４が異素材部分となる。これらは図３，４，５，６，７共にそれぞれ図の様に左右に分かれて縫製される場合も、一枚にカットされて縫製される場合もある。袖は長袖の場合も半袖の場合も同様で腕の内側部に異素材部分が配置され、長袖の場合袖口まで直線的に配置される場合や、図６の様に脇下から始まり三角形に途中で止めて長袖三角状異素材部５を形成してもよい。半袖の場合も、長袖の場合と同様、半袖長尺状異素材部６、半袖三角状異素材部７を備える。重要な点は脇下の部分が身頃側も袖側も繋がった通気性部分で構成され、脇繰り下方部にあり全体の半分以下の寸法内で前方から見えづらいものが求められる。
【００１６】
ビジネス用シャツにおいて一般的とされる図１の様な半円形に長い裾部形式は単に長年業界がデザイン習慣で行われているのでこのデザインも含み、今日意味のない長さである部分を、腕を上げた際に、シャツがズボンから出ない範囲の股下までの長さ、つまり図２に示すように開襟シャツ風に、手首近辺の長さ近辺で直線的に横方向にカットする構造で、裾の長さに関しては均一も後見頃が若干長いものも、首部襟周りが最上部までボタン留め式構造とすることも含め、ビジネス仕様に求められる外見的機能美と実質的な機能性が満足されたものとする。
【産業上の利用可能性】
【００１７】
地球温暖化の影響も含めますます気温の上昇が懸念され、一方、冷房温度は高め設定となる昨今、クールビズシャツの需要は高まり、素材自身の洗いやすさ、乾きやすさ、通気性を追求したものは有るものの、外見的な公用性を兼ね備え、涼しさや、乾きやすさを兼ねた異素材と組み合わせた機能構造性ワイシャツはなく、本考案は今後の市場の要求に合致した有効な衣類と言える。
【符号の説明】
【００１８】
１  後身頃の異素材部
２  前身頃の異素材部
３  裾部の直線カット部
４  長袖長尺状異素材部
５  長袖三角状異素材部
６  半袖長尺状異素材部
７  半袖三角状異素材部
【図１】
0003178988.tif 000003
【図２】
0003178988.tif 000004
【図３】
0003178988.tif 000005
【図４】
0003178988.tif 000006
【図５】
0003178988.tif 000007
【図６】
0003178988.tif 000008
【図７】
0003178988.tif 000009
【図８】
0003178988.tif 000010